(57)【要約】【課題】釣り具を自重で下降させる場合に、釣り具の移動速度を調整することができる釣り具を提供すること。【解決手段】開閉可能に取り付けられた１対の羽部を有し、前記羽部は、下降時に水を受ける水受け部を備え、上昇時に前記羽部の一方の表面に作用する圧力で該羽部が閉じ、下降時に前記水受け部で水を受けること及び前記羽部の他方の表面に作用する圧力で該羽部が開く、ことを特徴とする。【選択図】図１
2016140334.tif 000002
【特許請求の範囲】
【請求項１】
釣りに用いる釣り具であって、
開閉可能に取り付けられた１対の羽部を有し、
前記羽部は、下降時に水を受ける水受け部を備え、
上昇時に前記羽部の一方の表面に作用する圧力で該羽部が閉じ、下降時に前記水受け部で水を受けること及び前記羽部の他方の表面に作用する圧力で該羽部が開く、
ことを特徴とする釣り具。
【請求項２】
前記羽部は、平板形状、曲面板形状又は略半球の殻形状である、ことを特徴とする、請求項１に記載の釣り具。
【請求項３】
前記水受け部は、開口、端面又は平板片である、ことを特徴とする、請求項１又は請求項２に記載の釣り具。
【請求項４】
釣り糸を取り付ける取付部を更に有し、
前記取付部に取り付けられた前記釣り糸に張力が発生したときに、前記羽部が閉じ、
前記取付部に取り付けられた前記釣り糸に張力が発生していないときに、自重で降下し、前記羽部が開く、
ことを特徴とする、請求項１乃至請求項３のいずれか一項に記載の釣り具。
【請求項５】
開閉可能に取り付けられた１対の羽部を有し、
前記羽部は、下降時に水を受ける水受け部を備え、
上昇時に前記羽部の一方の表面に作用する圧力で該羽部が閉じ、下降時に前記水受け部で水を受けること及び前記羽部の他方の表面に作用する圧力で該羽部が開く、
ことを特徴とする釣り具を用いた釣りの方法であって、
前記取付部に取り付けられた釣り糸に張力を発生させる引上げステップと、
前記釣り糸に張力が発生したときに、前記羽部が閉じる急上昇ステップと、
前記取付部に取り付けられた前記釣り糸に張力が発生していないときに、自重で降下し、前記羽部が開く緩降下ステップと、
を含む、ことを特徴とする釣り具を用いた釣りの方法。
【請求項６】
請求項５に記載の釣り具を用いた釣りの方法をコンピュータに実行させるためのプログラム。
【発明の詳細な説明】
【技術分野】
【０００１】
本発明は、釣り具に関する。本発明は、特に水中の移動速度を調整することができる釣り具に関する。
【背景技術】
【０００２】
特許文献１では、軸部と、前記軸部の前端側に放射状に設けた複数の釣り針と、前記軸部の上方に設けた釣糸係止部と、を有するイカ釣り具において、前記複数の釣り針のうち、最も上方に向けて設けた釣り針の針先を、他の方向に向けて設けた釣り針の針先よりも径方向外側で、かつ、前記軸部の後端側に突出させたことを特徴とするイカ釣り具に関する技術を開示している。特許文献２では、錘部材と、浮き部材と、前記錘部材と前記浮き部材とを接続する棒状部材と、前記浮き部材又は前記棒状部材の先端近傍に形成されるリングと、前記棒状部材の延伸方向に対し傾いた方向に延伸するよう、前記棒状部材又は前記浮き部材に接続され、先端近傍にリングが形成される枝状部材と、を有する釣り具に関する技術を開示している。
【先行技術文献】
【特許文献】
【０００３】
【特許文献１】特開２０１０−４５９９１号公報
【特許文献２】特開２０１２−１６１２９９号公報
【発明の概要】
【発明が解決しようとする課題】
【０００４】
しかしながら、特許文献１及び特許文献２に開示されている技術では、釣り具の自重で降下する場合に、降下する速度を調整することができない場合がある。また、特許文献１及び特許文献２では、釣り具の自重で降下するときの速度を低速にするために釣り具を軽くした場合に、釣り具を遠くまで投げ入れることができない場合がある。すなわち、釣り具が軽いため、水中に投入するときの遠投距離が短くなる場合がある。更に、特許文献１及び特許文献２では、釣り具を自重で下降させる場合の釣り具の移動速度を調整する技術が記載されていない。
【０００５】
本発明は、釣り具を自重で下降させる場合に移動速度を調整することができる釣り具及びその釣り具を用いた釣りの方法を提供することを目的とする。
【課題を解決するための手段】
【０００６】
上記課題を解決するために、本発明の一つの実施形態は、釣りに用いる釣り具であって、開閉可能に取り付けられた１対の羽部を有し、前記羽部は、下降時に水を受ける水受け部を備え、上昇時に前記羽部の一方の表面に作用する圧力で該羽部が閉じ、下降時に前記水受け部で水を受けること及び前記羽部の他方の表面に作用する圧力で該羽部が開く、ことを特徴とする釣り具を提供する。また、前記羽部は、平板形状、曲面板形状又は略半球の殻形状である、ことを特徴とする釣り具であってもよい。また、前記水受け部は、開口、端面又は平板片である、ことを特徴とする釣り具であってもよい。また、釣り糸を取り付ける取付部を更に有し、前記取付部に取り付けられた前記釣り糸に張力が発生したときに、前記羽部が閉じ、前記取付部に取り付けられた前記釣り糸に張力が発生していないときに、自重で降下し、前記羽部が開く、ことを特徴とする釣り具であってもよい。
【０００７】
本発明の他の実施形態は、開閉可能に取り付けられた１対の羽部を有し、前記羽部は、下降時に水を受ける水受け部を備え、上昇時に前記羽部の一方の表面に作用する圧力で該羽部が閉じ、下降時に前記水受け部で水を受けること及び前記羽部の他方の表面に作用する圧力で該羽部が開く、ことを特徴とする釣り具を用いた釣りの方法であって、前記取付部に取り付けられた釣り糸に張力を発生させる引上げステップと、前記釣り糸に張力が発生したときに、前記羽部が閉じる急上昇ステップと、前記取付部に取り付けられた前記釣り糸に張力が発生していないときに、自重で降下し、前記羽部が開く緩降下ステップと、を含む、ことを特徴とする釣り具を用いた釣りの方法を提供する。また、上記の釣り具を用いた釣りの方法をコンピュータに実行させるためのプログラムであってもよい。
【発明の効果】
【０００８】
本発明に係る釣り具によれば、釣り具を自重で下降させる場合に、釣り具の移動速度を調整することができる。また、本発明に係る釣り具によれば、羽部を用いて釣り具の移動速度を調整することができるので、釣り具の構造を簡略化することができ、製造コストを大幅に削減することができ、経済性の高い釣り具の商品を製造することができる。
【０００９】
また、本発明に係る釣り具を用いた釣りの方法によれば、釣り具を自重で下降させる場合に、釣り具の移動速度を調整することができる。
【図面の簡単な説明】
【００１０】
【図１】本発明の実施形態に係る釣り具の一例を示す説明図である。
【図２】本発明の実施形態に係る釣り具（上昇時の状態）の一例を示す概略正面図である。
【図３】本発明の実施形態に係る釣り具（下降時の状態）の一例を示す概略正面図である。
【図４】本発明の実施形態に係る釣り具の羽部（水受け部）の例を説明する説明図である。
【図５】本発明の実施形態に係る釣り具の一例を説明する説明図である。
【図６】本発明の実施形態に係る釣り具を用いた釣り方法の一例を説明するフローチャート図である。
【発明を実施するための形態】
【００１１】
魚介類を釣るときの道具である釣り具及びその釣り具を用いた釣り方法の実施形態を用いて、本発明を説明する。なお、本発明は、以後に説明する釣り具又は釣り方法に限定されるものではない。本発明は、以後に説明する釣り具等以外でも、上昇時および下降時の水流又は水圧の変化を利用して釣り具の移動速度を調整するもの（装置、機械、部品、部材、アプリケーションなど）であれば、いずれのものにも用いることができる。
【００１２】
また、以後の説明において、釣り具とは、例えば魚釣り道具のルアー、イカ釣り用のえぎなどがある。なお、本発明に係る釣り具の材質、用途は、特に限定されるものではない。
【００１３】
下記に示す順序で、本発明を説明する。
１．釣り具の構成
２．釣り具を用いた釣り方法
【００１４】
（１．釣り具の構成）
図１乃至図４を用いて、本発明の実施形態に係る釣り具の構成を説明する。ここで、図１は、本発明の実施形態に係る釣り具の一例を示す説明図である。図２は、本発明の実施形態に係る釣り具（上昇時の状態）の一例を示す概略正面図である。図３は、本発明の実施形態に係る釣り具（下降時の状態）の一例を示す概略正面図である。図４は、本発明の実施形態に係る釣り具の羽部の水受け部の他の例を説明する説明図である。図５は、本発明の実施形態に係る釣り具の一例を説明する説明図である。なお、図１等に示す釣り具の構成の例は一例であり、本発明は図１等に示す釣り具に限定されるものではない。
【００１５】
図１乃至図３に示すように、本発明に係る釣り具１０は、開閉可能に取り付けられた１対の羽部１１を有する。また、羽部１１は、下降時に水を受ける水受け部１２を備える。釣り具１０は、本実施形態では、先端の取付部１０Ｌに釣り糸が取り付けられている。
【００１６】
羽部１１は、平板形状、曲面板形状又は略半球の殻形状の部材を用いることができる。羽部１１は、釣り用のシンカー（錘、金属、石材など）の機能を更に備える構成であってもよい。
【００１７】
水受け部１２は、図１に示すように、略半円の開口を用いることができる。また、水受け部１２は、図４（ａ）および図４（ｂ）に示すように、羽部１１の内側に傾斜する端面又は外側に突出する平板片であってもよい。
【００１８】
なお、釣り針は、釣り具の先端、後端又はその他の任意の位置に取り付けてもよい。釣り具は、浮き部材、錘部材、姿勢制御部材などを更に備える構成であってもよい。
【００１９】
図２に示すように、本発明に係る釣り具１０は、取付部１０Ｌに取り付けられた釣り糸に張力が発生したときに、引っ張り上げられる。このとき、釣り具１０は、羽部１１の一方の表面（閉じたときの外側の表面）に作用する圧力で、羽部１１が閉じる。また、図３に示すように、釣り具１０は、取付部１０Ｌに取り付けられた釣り糸に張力が発生していないときに、自重で降下する。このとき、釣り具１０は、水受け部（図１の１２、図４の１２Ａ、１２Ｂ）で水を受けること及び羽部１１の他方の表面（閉じたときの内側の表面）に作用する圧力（図中のＰｗ）で、羽部１１を開く。
【００２０】
これにより、釣り具１０を自重で下降させる場合に、釣り具１０の移動速度を調整することができる。また、釣り具１０は、自重（錘の重量）を調整することで、所望の遠投距離となるように調整することができる。更に、釣り具１０は、自重と羽部１１の形状を調整することで、水中で自重降下する移動速度を調整することができる。すなわち、本発明に係る釣り具１０は、遠投時の距離とフォールスピード（自重降下速度）とを両立することができる機能を有する。また、本発明に係る釣り具１０は、羽部１１を用いて釣り具の移動速度を調整することができるので、釣り具の構造を簡略化することができる。このため、本発明に係る釣り具１０は、釣り具の構造を簡略化することができるので、製造コストを大幅に削減することができ、経済性の高い釣り具の商品を製造することができる。
【００２１】
なお、釣り具１０の羽部および水受け部の形状は、さまざまな形状で製造することができるので、デザイン性の高い商品、遠投し易い商品、水中の動作を所望の動作（ランダムな動き）に変化させる商品などに対応した形状であってもよい。例えば１対の羽部の形状を非対称の形状としてもよいし、色彩を施してもよい。また、釣り具１０の羽部１１および水受け部１２の形状は、釣り具の使用方法及び材質に基づいて、予め実験、計算または設計によって定められる形状とすることができる。
【００２２】
図５に、本発明に係る釣り具に開閉可能に取り付けられた１対の羽部１１の一例を示す。図５（ａ）に示すように、閉鎖時（水中で上昇時）には、羽部１１は閉じた状態となる。図５（ｂ）に示すように、開放時（水中で下降時）には、羽部１１は開いた状態となる。
【００２３】
以上のとおり、本発明に係る釣り具１０は、釣り具を自重で下降させる場合に、釣り具の移動速度を調整することができ、効果的な釣果が期待できる。また、本発明に係る釣り具１０によれば、羽部１１（水受け部１２、１２Ａ又は１２Ｂ）を用いて釣り具の移動速度を調整することができるので、釣り具の構造を簡略化することができ、製造コストを大幅に削減することができ、経済性の高い釣り具の商品を製造することができる。更に、本発明に係る釣り具１０によれば、羽部１１（水受け部１２、１２Ａ又は１２Ｂ）を用いて釣り具の移動速度（例えば自重降下の速度）を調整することができるので、遠投距離と自重降下速度とを両立させた機能・構成とすることができる。
【００２４】
（２．釣り具を用いた釣り方法）
図６を用いて、本発明に係る釣り方法（釣り具を用いた釣りの方法）を説明する。ここで、図６は、本実施形態に係る釣り方法の動作の例を説明するフローチャート図である。なお、図６に示す釣り方法は一例であり、本発明は図６に示す釣り方法に限定されるものではない。また、以下の説明において、釣り具とは、１対の羽部を有し、羽部は下降時に水を受ける水受け部を備え、上昇時に羽部の一方の表面に作用する圧力で羽部が閉じ、下降時に水受け部で水を受けること及び羽部の他方の表面に作用する圧力で羽部が開くものである。
【００２５】
図６に示すように、ステップＳ６０１において、先ず、釣りをする動作を開始する。例えば釣り具１０（図１）を使う人、利用者、購入者など（以下、「使用者」という。）が、釣りをする動作を開始することができる。その後、ステップＳ６０２に進む。
【００２６】
次に、ステップＳ６０２において、釣り具を水中に投入する。ここで、釣り具は、例えば使用者によって操作される釣り用の投入機、遠投機（竿操作及び自動リール操作）などで水中に投入されてもよい。なお、釣り具は、所望の遠投距離となるために、所定の重さに設定されている。その後、ステップＳ６０３に進む。
【００２７】
次いで、ステップＳ６０３及びステップＳ６０４において、釣り具を引っ張り及び放置を繰り返す（引上げステップ）。ここで、釣り具は、釣り用の投入機、遠投機などによって、釣り糸を巻き上げ又は放置することで、水中の釣り具を上昇及び下降させることができる。このとき、釣り具は、前述の（１．釣り具の構成）で説明したとおり、取付部１０Ｌ（図１）に取り付けられた釣り糸に張力が発生したときに羽部１１（図１）が閉じ、取付部１０Ｌに取り付けられた釣り糸に張力が発生していないときに自重で降下し、羽部１１が開く。これにより、釣り具は、水中で上昇時には羽部１１が閉じて、所望の速さで上昇することができる（急上昇ステップ）。また、釣り具は、水中で下降時には羽部１１が開いて、所望の速さ（上昇時とは減速して）、ゆっくりと自重沈下することができる（緩降下ステップ）。その後、ステップＳ６０５に進む。
【００２８】
ステップＳ６０５において、釣り具を引き上げるか否かを判断する。釣り用の投入機、遠投機、自動巻取機などは、例えば当たりがあったとき、所定の時間が経過したとき、異常があったときなどに、引き上げると判断することができる。これにより、所望の間、釣り具を水中に保持し、上昇及び下降を繰り返すことができる。その後、引き上げると判断した場合には、図中の「ＥＮＤ」に進む。引き上げないと判断した場合には、ステップＳ６０３に戻る。
【００２９】
以上のとおり、本発明に係る釣り方法（釣り具を用いた釣りの方法）は、前述の実施形態に係る釣り具１０と同等の効果を得ることができる。
【００３０】
また、本発明に係る釣り方法のプログラム（釣り具を用いた釣りの方法をコンピュータに実行させるためのプログラム）Ｐｒは、開閉可能に取り付けられた１対の羽部を有し、前記羽部は、下降時に水を受ける水受け部を備え、上昇時に前記羽部の一方の表面に作用する圧力で該羽部が閉じ、下降時に前記水受け部で水を受けること及び前記羽部の他方の表面に作用する圧力で該羽部が開く、ことを特徴とする釣り具を用いた釣りの方法であって、前記取付部に取り付けられた釣り糸に張力を発生させる引上げステップと、前記釣り糸に張力が発生したときに、前記羽部が閉じる急上昇ステップと、前記取付部に取り付けられた前記釣り糸に張力が発生していないときに、自重で降下し、前記羽部が開く緩降下ステップと、を含む、ことを特徴とする釣り具を用いた釣りの方法を実行する。
【００３１】
上記のプログラムＰｒによれば、本発明に係る前述の実施形態に係る釣り具１０と同等の効果が得られる。なお、本発明は、プログラムを記録したコンピュータによって読み取り可能な記録媒体としてもよい。記録媒体には、フレキシブルディスク、ＣＤ−ＲＯＭ、ＤＶＤ、及び、メモリーカード等、コンピュータ読み取り可能な媒体を利用することができる。
【００３２】
以上のとおり、本発明に係る実施形態について説明したが、本発明は上記の実施形態に限定されるものではない。すなわち、本発明は、特許請求の範囲に記載の内容に基づいて、様々に変形、変更又はその他任意に改変され得る。
【符号の説明】
【００３３】
１０  ：  釣り具
１０Ｌ：  取付部
１１  ：  羽部
１２，１２Ａ，１２Ｂ  ：  水受け部
Ｐｒ  ：  プログラム
【図１】
2016140334.tif 000003
【図２】
2016140334.tif 000004
【図３】
2016140334.tif 000005
【図４】
2016140334.tif 000006
【図５】
2016140334.tif 000007
【図６】
2016140334.tif 000008